【手続補正書】
【提出日】平成19年10月10日(2007.10.10)
【手続補正１】
【補正対象書類名】特許請求の範囲
【補正対象項目名】全文
【補正方法】変更
【補正の内容】
【特許請求の範囲】
【請求項１】
可燃性冷媒を冷媒に用いた冷蔵庫において、冷蔵庫本体内に循環する冷気を冷却する冷却器と、前記冷却器の近傍に設置され、内部に発熱体を有する少なくとも一部が開口した開口部を有する容器本体により構成されて前記冷却器の除霜を行う除霜用ヒータと、を備え、前記発熱体を発熱させることにより前記容器本体内において発生する自然対流の上昇流の上昇方向に対して前記開口部の開口方向を前記容器本体周囲の気体が前記容器本体内に流入しにくくなる所定の角度範囲になるように前記除霜用ヒータを設置したことを特徴とする冷蔵庫の除霜用ヒータの設置方法。
【請求項２】
可燃性冷媒を冷媒に用いた冷蔵庫において、冷蔵庫本体内に循環する冷気を冷却する冷却器と、前記冷却器の近傍に設置され、内部に発熱体を有する少なくとも一部が開口した開口部を有する容器本体により構成されて前記冷却器の除霜を行う除霜用ヒータと、を備え、前記開口部の開口方向が前記発熱体を発熱させることにより前記容器本体内において発生する自然対流の上昇流の上昇方向に対して±９０度±３０度の角度範囲となるように前記除霜用ヒータを設置するようにしたことを特徴とする冷蔵庫の除霜用ヒータの設置方法。
【請求項３】
容器本体に少なくとも一端が開口したガラス管を使用したガラス管ヒータを使用したことを特徴とする請求項１または請求項２に記載の冷蔵庫の除霜用ヒータの設置方法。
【請求項４】
除霜用ヒータの容器本体の表面温度が可燃性冷媒の着火温度未満となるように容器本体内に設けられた発熱体への通電を停止するかあるいは前記発熱体への入力を制御するようにしたことを特徴とする請求項１乃至請求項３のうちの１項に記載の冷蔵庫の除霜用ヒータの設置方法。
【請求項５】
送風機、冷却器が配置されてなる冷却器室と、前記冷却器室内に配置され前記冷却器の除霜を行う除霜用ヒータと、前記冷却器室内に設けられた可燃性冷媒の漏洩を検出する冷媒検出手段、を備え、前記冷媒検出手段により冷媒漏れを検出したときには、前記送風機を運転するようにしたことを特徴とする請求項１乃至請求項４のうちの１項に記載の冷蔵庫の除霜用ヒータの設置方法。
【請求項６】
送風機、冷却器が配置されてなる冷却器室と、前記冷却器室内に配置され前記冷却器の除霜を行う除霜用ヒータと、前記冷却器室内に設けられた可燃性冷媒を吸着する冷媒吸着手段、を備え、冷媒が漏れた場合に前記冷媒吸着手段により漏れた冷媒を吸着するようにしたことを特徴とする請求項１乃至請求項５のうちの１項に記載の冷蔵庫の除霜用ヒータの設置方法。
【請求項７】
冷媒としてプロパンあるいはイソブタンを使用するようにしたことを特徴とする請求項１乃至６のいずれかに記載の冷蔵庫の除霜用ヒータの設置方法。
【手続補正２】
【補正対象書類名】明細書
【補正対象項目名】００１５
【補正方法】変更
【補正の内容】
【００１５】
本発明に係る冷蔵庫の除霜用ヒータの設置方法は、可燃性冷媒を冷媒に用いた冷蔵庫において、冷蔵庫本体内に循環する冷気を冷却する冷却器と、冷却器の近傍に設置され、内部に発熱体を有する少なくとも一部が開口した開口部を有する容器本体により構成され冷却器の除霜を行う除霜用ヒータと、を備え、発熱体を発熱させることにより容器本体内において発生する自然対流の上昇流の上昇方向に対して開口部の開口方向を容器本体周囲の気体が容器本体内に流入しにくくなる所定の角度範囲になるように除霜用ヒータを設置したものである。
【手続補正３】
【補正対象書類名】明細書
【補正対象項目名】００１６
【補正方法】変更
【補正の内容】
【００１６】
本発明に係る冷蔵庫の除霜用ヒータの設置方法は、開口部の開口方向が容器本体内の自然対流による上昇流の上昇方向に対して９０度±３０度の角度範囲内になるように除霜用ヒータが設置されているものである。
【手続補正４】
【補正対象書類名】明細書
【補正対象項目名】００１７
【補正方法】変更
【補正の内容】
【００１７】
本発明に係る冷蔵庫の除霜用ヒータの設置方法は、容器本体に少なくとも一端が開口したガラス管を使用したガラス管ヒータを使用したものである。
【手続補正５】
【補正対象書類名】明細書
【補正対象項目名】００１８
【補正方法】変更
【補正の内容】
【００１８】
本発明に係る冷蔵庫の除霜用ヒータの設置方法は、除霜用ヒータの容器本体の表面温度が可燃性冷媒の着火温度未満となるように容器本体内に設けられた発熱体への通電を停止するかあるいは発熱体への入力を制御するようにしたものである。
【手続補正６】
【補正対象書類名】明細書
【補正対象項目名】００１９
【補正方法】変更
【補正の内容】
【００１９】
本発明に係る冷蔵庫の除霜用ヒータの設置方法は、送風機、冷却器が配置されてなる冷却器室と、冷却器室内に配置され冷却器の除霜を行う除霜用ヒータと、冷却器室内に設けられた可燃性冷媒の漏洩を検出する冷媒検出手段、を備え、冷媒検出手段により冷媒漏れを検出したときには、送風機を運転するようにしたものである。
【手続補正７】
【補正対象書類名】明細書
【補正対象項目名】００２０
【補正方法】変更
【補正の内容】
【００２０】
本発明に係る冷蔵庫の除霜用ヒータの設置方法は、送風機、冷却器が配置されてなる冷却器室と、冷却器室内に配置され冷却器の除霜を行う除霜用ヒータと、冷却器室内に設けられた可燃性冷媒を吸着する冷媒吸着手段、を備え、冷媒が漏れた場合に冷媒吸着手段により漏れた冷媒を吸着するようにしたものである。
【手続補正８】
【補正対象書類名】明細書
【補正対象項目名】００２１
【補正方法】変更
【補正の内容】
【００２１】
本発明に係るの除霜用ヒータの設置方法は、冷媒としてプロパンあるいはイソブタンを使用するようにしたものである。
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】変更
【補正の内容】
【００２３】
以上説明したように、本発明に係る冷蔵庫の除霜用ヒータの設置方法は、可燃性冷媒を冷媒に用いた冷蔵庫において、冷蔵庫本体内に循環する冷気を冷却する冷却器と、冷却器の近傍に設置され、内部に発熱体を有する少なくとも一部が開口した開口部を有する容器本体により構成され冷却器の除霜を行う除霜用ヒータと、を備え、発熱体を発熱させることにより容器本体内において発生する自然対流の上昇流の上昇方向に対して開口部の開口方向を容器本体周囲の気体が容器本体内に流入しにくくなる所定の角度範囲になるように除霜用ヒータを設置したので、除霜用ヒータが設置されている冷却器室が着火濃度以上の可燃性冷媒雰囲気にさらされた場合でも容易に着火しないようにすることが可能になり、安全性にすぐれ、信頼性の高い冷蔵庫を得ることができる。
【手続補正１１】
【補正対象書類名】明細書
【補正対象項目名】００２４
【補正方法】変更
【補正の内容】
【００２４】
本発明に係る冷蔵庫の除霜用ヒータの設置方法は、開口部の開口方向が容器本体内の自然対流による上昇流の上昇方向に対して±９０度±３０度の角度範囲内になるように除霜用ヒータが設置されているので、容器本体の内部の自然対流により除霜用ヒータの外部より漏れた可燃性冷媒が容器本体内に侵入することによる着火を抑制することができ信頼性の高い冷蔵庫を得ることができる。
【手続補正１２】
【補正対象書類名】明細書
【補正対象項目名】００２５
【補正方法】変更
【補正の内容】
【００２５】
本発明に係る冷蔵庫の除霜用ヒータの設置方法は、容器本体に少なくとも一端が開口したガラス管を使用したガラス管ヒータを使用したので、構造が簡単で製造時間のかからない低コストな冷蔵庫を得ることができる。
【手続補正１３】
【補正対象書類名】明細書
【補正対象項目名】００２６
【補正方法】変更
【補正の内容】
【００２６】
本発明に係る冷蔵庫の除霜用ヒータの設置方法は、除霜用ヒータの容器本体の表面温度が可燃性冷媒の着火温度未満となるように容器本体内に設けられた発熱体への通電を停止するかあるいは発熱体への入力を制御するようにしたので、冷却室に可燃性冷媒が充満しても除霜用ヒータが着火源となって着火することがなくなり、着火により除霜用ヒータおよび冷蔵庫本体が損傷するのを防止でき、安全で信頼性の高い冷蔵庫を提供することができる。
【手続補正１４】
【補正対象書類名】明細書
【補正対象項目名】００２７
【補正方法】変更
【補正の内容】
【００２７】
本発明に係る冷蔵庫の除霜用ヒータの設置方法は、送風機、冷却器が配置されてなる冷却器室と、冷却器室内に配置され冷却器の除霜を行う除霜用ヒータと、冷却器室内に設けられた可燃性冷媒の漏洩を検出する冷媒検出手段、を備え、冷媒検出手段により冷媒漏れを検出したときには、送風機を運転するようにしたので、冷却室４０に可燃性冷媒が充満することがなくなり除霜用ヒータ６が着火源となって着火することが抑制でき、安全で信頼性の高い冷蔵庫を提供することができる。
【手続補正１５】
【補正対象書類名】明細書
【補正対象項目名】００２８
【補正方法】変更
【補正の内容】
【００２８】
本発明に係る冷蔵庫の除霜用ヒータの設置方法は、送風機、冷却器が配置されてなる冷却器室と、冷却器室内に配置され冷却器の除霜を行う除霜用ヒータと、冷却器室内に設けられた可燃性冷媒を吸着する冷媒吸着手段、を備え、冷媒が漏れた場合に冷媒吸着手段により漏れた冷媒を吸着するようにしたので、冷却室に可燃性冷媒が充満することがなくなり除霜用ヒータが着火源となって着火することが抑制でき、安全で信頼性の高い冷蔵庫を提供することができる。
【手続補正１６】
【補正対象書類名】明細書
【補正対象項目名】００２９
【補正方法】変更
【補正の内容】
【００２９】
本発明に係るの除霜用ヒータの設置方法は、冷媒としてプロパンあるいはイソブタンを使用するようにしたので、オゾン層を破壊せず、地球温暖化係数が小さく地球環境にやさしい冷蔵庫を提供できる。
【手続補正１７】
【補正対象書類名】明細書
【補正対象項目名】００３０
【補正方法】削除
【補正の内容】